(57)【特許請求の範囲】
【請求項１】
背当て部をリクライニング可能としたリクライニング機構付ベビーカーにおいて、
上記背当て部を構成する枠パイプをベビーカー本体に揺動可能に枢着し、上記枠パイプの下端部に、上記ベビーカー本体に設けられた複数の係止段部に選択的に係止する係止部材を進退可能に設けるとともに、上記枠パイプの頂部水平杆部に、上記係止部材を引き上げることによって、係止部材と係止段部との係合を解除するロック解除操作装置を設け、
前記係止部材は、常時突出方向に付勢されるとともに、ワイヤーにより前記ロック解除操作装置に連結され、
ロック解除操作装置は、レバーと、当該レバーによって回動可能であるとともに、前記ワイヤーの一端が連結された円板状の回動子とを有し、
ワイヤーは、その他端が前記係止部材に連結され、
ロック解除操作装置のレバーを操作して回動子を回動させることによって、ワイヤーの他端に連結された係止部材が付勢力に抗して引き上げられ、係止部材と係止段部との係合が解除されることを特徴とする、リクライニング機構付ベビーカー。
【請求項２】
逆Ｕ字状の手押し杆における左右のパイプ先端部の互いに対向する内面側に上記枠パイプを装着する枠パイプ取付部材がそれぞれ固着されており、その左右の枠パイプ取付部材に上記背当て部を構成する逆Ｕ字状の枠パイプの先端部が枢着され、枠パイプ取付部材の上記枠パイプの先端部と対向する弧状の内周面に上記係止部材が選択的に係合する複数の係止段部が形成されていることを特徴とする、請求項１記載のリクライニング機構付ベビーカー。
【請求項３】
ベビーカー本体は三つ折りタイプであり、上記枠パイプ頂部水平杆部にも手押し杆等と同様にその２ヶ所にヒンジ部が設けられ、折り畳み状態時にコ字状に折り畳み可能としてあることを特徴とする、請求項１または２のいずれかに記載のリクライニング機構付ベビーカー。
【発明の詳細な説明】
【０００１】
【発明の属する技術分野】
本発明は、背当て部の傾斜角度を選択的に変更可能なリクライニング機構付ベビーカーに関する。
【０００２】
【従来の技術及び発明が解決しようとする課題】
一般に、乳幼児を散歩や買い物等のために屋外に連れ出す場合に使用するベビーカーにおいては、必要に応じて前後方向に折り畳んだ後、中央部２ヶ所に設けられたヒンジ機構を利用して左右方向に折り畳み、収納や携帯が容易になるようにした三つ折りタイプのベビーカーが種々提案されている。そして、このようなベビーカーにおいて背当て部の傾斜角度を変え、乳幼児を寝かせた状態或いは座らせた状態にすることができるようにしたものも提案されている。
【０００３】
ところが、このように背当て部の傾斜角度を変えるようにした、すなわち背当て部にリクライニング機構を持たせたものにおいては、背当て部を水平状態に倒したり或いはその状態から上方に傾斜させる場合には、背当て部の左右に設けられた角度固定装置をそれぞれ操作してロックを解除し、希望角度に設定したり、或いは背当て部の枠全体を持ち上げることにより角度調整を行うようにしたものが一般的である。したがって、背当て部の角度調整には両手を使って角度固定装置を操作したり、または背当て部の枠全体を持ち上げる必要があるため、操作が面倒であり乳幼児を抱いた状態で操作することが困難であり、或いは使用者の腕力が必要である等の問題があった。
【０００４】
本発明は、このような点に鑑み、乳幼児を抱いたまま片手でも背当て部の角度調整が可能なリクライニング機構付ベビーカーを得ることを目的とする。
【０００５】
【課題を解決するための手段】
請求項１に係る発明は、背当て部をリクライニング可能としたリクライニング機構付ベビーカーにおいて、上記背当て部を構成する枠パイプをベビーカー本体に揺動可能に枢着し、上記枠パイプの下端部に、上記ベビーカー本体に設けられた複数の係止段部に選択的に係止する係止部材を進退可能に設けるとともに、上記枠パイプの頂部水平杆部に、上記係止部材を引き上げることによって、係止部材と係止段部との係合を解除するロック解除操作装置を設け、前記係止部材が、常時突出方向に付勢されるとともに、ワイヤーにより前記ロック解除操作装置に連結され、ロック解除操作装置が、レバーと、当該レバーによって回動可能であるとともに、前記ワイヤーの一端が連結された円板状の回動子とを有し、ワイヤーが、その他端が前記係止部材に連結され、ロック解除操作装置のレバーを操作して回動子を回動させることによって、ワイヤーの他端に連結された係止部材が付勢力に抗して引き上げられ、係止部材と係止段部との係合が解除されることを特徴とする。
【０００６】
請求項２に係る発明は、請求項１に係る発明において、逆Ｕ字状の手押し杆における左右のパイプ先端部の互いに対向する内面側に上記枠パイプを装着する枠パイプ取付部材がそれぞれ固着されており、その左右の枠パイプ取付部材に上記背当て部を構成する逆Ｕ字状の枠パイプの先端部が枢着され、枠パイプ取付部材の上記枠パイプの先端部と対向する弧状の内周面に上記係止部材が選択的に係合する複数の係止段部が形成されていることを特徴とする。
【０００８】
請求項３に係る発明は、請求項１または２のいずれかに記載の発明において、ベビーカー本体は三つ折りタイプであり、上記枠パイプ頂部水平杆部にも手押し杆等と同様にその２ヶ所にヒンジ部が設けられ、折り畳み状態時にコ字状に折り畳み可能としてあることを特徴とする。
【０００９】
【発明の実施の形態】
図１は本発明のリクライニング機構付ベビーカーの概略構成を示す斜視図であって、そのベビーカーは、双輪式の前輪１１を有する左右一対の前脚１２、双輪式の後輪１３を有する左右一対の後脚１４、ほぼ逆Ｕ字状に屈曲された手押し杆１５、左右一対のアームレスト１６によって構成されている。上記手押し杆１５を構成する左右のパイプ１７の先端近傍部にはそれぞれ上記アームレスト１６の一端が枢着されており、そのアームレスト１６の他端部に前脚１２の頂端部が枢着されている。また、左右の後脚１４の頂端部も上記アームレスト１６の中間部に枢着されており、その後脚１４の中間部にはく字状に屈曲されたブラケット１８の一端が枢着されている。そして、そのブラケット１８の中間位置に前記手押し杆１５を構成するパイプ１７の先端がそれぞれ枢着されており、ベビーカーの展開状態において、上記ブラケット１８の他端に形成された係合部１８aに上記パイプ１７の下端部に摺動可能に装着されたロック部材１９が係合し、その展開状態を維持するようにしてある。
【００１０】
一方、上記左右の前脚１２はフートレスト２０が設けられた前側連結バー２１によって連結されており、左右の後脚１４は図示しない後側連結バーにより連結されている。また、各パイプ１７の先端部には互いに対向する内面側に後述する背当て部を構成する枠パイプ２２を取り付ける枠パイプ取付部材２３がそれぞれ固着されており、この各枠パイプ取付部材２３に上記ブラケット１８とともに連結バー２４が枢着され、その連結バー２４の前端が各前脚１２の中間部に枢着されている。さらに、左右の連結バー２４の中間部が上側連結バー２５によって連結されており、その上側連結バー２５には図示しない座布を支持する座布支持部材２６が装着された左右２本の支持杆２７が突出されている。
【００１１】
しかして、図１に示すように、パイプ１７の下端に設けられたロック部材１９をブラケット１８の上端に設けられている系止部１８aに係合することによって、ベビーカーが使用可能な展開状態に保持される。一方、手押し杆１５に設けられている操作装置２８を操作することにより上記ロック部材１９とブラケット１８との係合が離脱されると、アームレスト１６及び連結バー２４が前記パイプ１７及び枠パイプ取付部材２３との枢着点を中心として上方に揺動可能となり、前脚１２と後脚１４とがほぼ平行状態に揺動され、携帯等に便利なように折り畳むことができる。
【００１２】
また、手押し杆１５、前側連結バー２１、後側連結バー、及び上側連結バー２５は、２つの同一垂直面内において各中間部の２カ所がジョイントにより折り畳み可能としてあり、また座部支持部材２６は屈曲可能なベルトにより形成されている。したがって、上述のように前脚１２と後脚１４を平行状態に折り畳んだ後、左右のパイプ１７を前方に移動させると、上記手押し杆１５、前側連結バー２１、後側連結バー、及び上側連結バー２５の両端部が前方にコ字状に折り曲げられ、ベビーカーを図２に示すようにさらにコンパクトに折り畳むことができる。
【００１３】
ところで、前記手押し杆１５のパイプ１７に固着されている枠パイプ取付部材２３には、背当て部を構成する枠パイプ２２が装着されている。上記枠パイプ２２は逆Ｕ字状に屈曲形成されており、左右の直杆部間には背布２９（図１にはその一部のみが示されている）が取り付けられている。図３は上記背当て部の枠パイプ２２の取付部の拡大図であり、枠パイプ２２の先端部が枠パイプ取付部材２３の下部に形成されている空所２３ａ内に挿入されその先端部がピン３０により枠パイプ取付部材２３に枢着されている。
【００１４】
上記枠パイプ２２の先端部には係止部材３１が進退可能に挿入装着されており、枠パイプ取付部材２３の上記枠パイプ２２の先端に対向する内周面には上記係止部材３１が選択的に係合する複数の係止段部３２が形成されている。上記係止部材３１には、図４に示すように、長手方向に延びる長孔３３が設けられており、その長孔３３が枠パイプ２２に貫挿されたピン３４に係合され、上記係止部材３１が上記枠パイプ２２の先端部内に摺動可能に装着され、先端部が枠パイプ２２から進退可能としてある。また、上記係止部材３１はスプリング３５により突出方向に付勢されている。
【００１５】
一方、枠パイプ２２の頂部水平杆部中央には、図１に示すように、上記係止部材３１のロックを解除操作するためのロック解除操作装置３６が設けられている。すなわち、図５に示すように、ロック解除操作装置３６の両端部には上記枠パイプ２２を構成する逆Ｌ字状のパイプ２２aの水平部がヒンジ３７によって連結され、全体的に逆Ｕ字状の枠パイプ２２が形成されている。上記ロック解除操作装置３６のハウジング３８内にはレバー３９によって回動可能な円板状の回動子４０が設けられており、その回動子４０の互いに径方向に対向する位置にワイヤー４１の一端が取り付けられている。そして、上記各ワイヤー４１の他端がそれぞれ前記係止部材３１に連結されている。
【００１６】
しかして、上記レバー３９を操作して回動子４０を図５において矢印方向に回動させると、左右のワイヤー４１が引っ張られ、係止部材３１がスプリング３５に抗して引き上げられ、係止段部３２との係合が離脱され、背当部のロックが解除される。そこで、背当て部すなわち枠パイプ２２を下方または上方に揺動させた後、レバー３９を離して係止部材３１を他の係止段部３２に係合させることによって、背当て部を所定の角度位置に調整することができる。すなわち、背当て部の枠パイプ２２を例えば図１の実線位置から鎖線位置に或いはその反対に選択的に変更させることができる。
【００１７】
一方、ベビーカーを前述のように三つ折り状態に折り畳む場合には、図６のように、枠パイプ２２もヒンジ３７により平面視でコ字状に折り畳まれ、ベビーカーの折り畳みが邪魔されることはなく、容易に図２の状態に折り畳むことができる。
【００１８】
このようにして、三つ折りタイプのベビーカーにおいても背当て部をリクライニング可能とすることができるとともに、そのリクライニング操作を枠パイプ２２に設けられたロック解除操作装置３６の操作により行うことができ、乳幼児を抱えた状態で片手によっても容易に操作することができる。
【００１９】
【発明の効果】
以上説明したように、本発明は、背当て部を構成する逆Ｕ字状の枠パイプをベビーカー本体に揺動可能に枢着し、上記枠パイプの下端部に、上記ベビーカー本体に設けられた複数の係止段部に選択的に係止する係止部材を進退可能に設けるとともに、上記枠パイプの頂部水平杆部に、上記係止部材を引き上げ係止段部との係合を解除するロック解除操作装置を設け、上記係止部材が、常時突出方向に付勢されるとともに、ワイヤーにより前記ロック解除操作装置に連結され、ロック解除操作装置が、レバーと、当該レバーによって回動可能であるとともに、前記ワイヤーの一端が連結された円板状の回動子とを有し、ワイヤーが、その他端が前記係止部材に連結され、ロック解除操作装置のレバーを操作して回動子を回動させることによって、ワイヤーの他端に連結された係止部材が付勢力に抗して引き上げられ、係止部材と係止段部との係合が解除されるので、枠パイプ２２に設けられたロック解除操作装置３６のレバー３９を片手で操作して回動子４０を回動させることによって、係止部材３１と係止段部３２との係合を解除して、背当て部のリクライニング操作を行うことができ、乳幼児を抱えた状態で片手によっても容易に操作することができる。しかも、枠パイプを手押し杆等と同様に折り畳み可能とすることにより、三つ折りタイプのベビーカーにも適用することができる。
【図面の簡単な説明】
【図１】本発明のベビーカーの概略構成を示す斜視図。
【図２】ベビーカーを折り畳んだ状態を示す斜視図。
【図３】背当て部のベビーカー本体への装着部の拡大図。
【図４】（ａ）は枠パイプの係止部材装着部の部分断面正面図、（ｂ）は上記係止部材装着部の側面断面図。
【図５】ロック解除操作装置の平断面図。
【図６】枠パイプを折り畳んだ状態を示す平面図。
【符号の説明】
１２ 前脚
１４ 後脚
１５ 手押し杆
１６ アームレスト
１８ ブラケット
２１ 前側連結バー
２２ 枠パイプ
２３ 枠パイプ取付部材
２４ 連結バー
３１ 係止部材
３２ 係止段部
３６ ロック解除操作装置
３７ ヒンジ
３８ ハウジング
３９ レバー
４０ 回動子
４１ ワイヤー
【図１】
0003986826.tif 000002
【図２】
0003986826.tif 000003
【図３】
0003986826.tif 000004
【図４】
0003986826.tif 000005
【図５】
0003986826.tif 000006
【図６】
0003986826.tif 000007